(57)【要約】【課題】工事現場において隣り合う二つのプレキャスト主柱上に直接設置できる薄型ジョイント部を具有する梁の構造を提供する。【解決手段】内部が空洞を呈したジョイント本体３は、上側に裁荷縁３１１を設け、四周の接合面３２には梁接合凹部３２１を設け、該梁接合凹部３２１の下側には下層出筋３２３を穿設結合する複数の穿孔３２２を、上側には上層出筋３２５を穿設結合する角孔３２４を設け、適当な間隔を開けて配列した二つの該ジョイント本体３間は該接合面と３２出筋３２３，３２５とを設けることでプレキャスト梁を迅速且つ堅牢に結合させて一体とし、これを建築現場にて直接隣り合う二つのプレキャスト柱上に設置する。【選択図】  図１
0003120405.tif 000002
【実用新案登録請求の範囲】
【請求項１】
プレキャスト主柱の裁荷面上に設置される二つのジョイント本体と一つのプレキャスト梁とより構成される薄型ジョイント部を具有する梁の構造において、
該ジョイント本体は内部を空洞に加工された薄型構造を呈しており、上部には適当な裁荷縁を具有し、四周の接合面には梁を連結する梁接合凹部を具有し、また該接合面は該梁接合凹部の下側に複数の穿孔を設けることで下層出筋を穿設して該ジョイント本体と結合させ、適当な間隔を開けて設置された二つの該ジョイント本体間は、該接合面と該出筋の設置により迅速に梁と固定されることで一体化することを特徴とする薄型ジョイント部を具有する梁の構造。
【請求項２】
前記接合面は梁接合凹部の上側に角孔が設けられ、該上層出筋が穿設する個所を提供することを特徴とする請求項１記載の薄型ジョイント部を具有する梁の構造。
【請求項３】
前記上層出筋と下層出筋とはフープで緊密に束ねられることを特徴とする請求項１記載の薄型ジョイント部を具有する梁の構造。
【請求項４】
前記ジョイント本体の最下縁は階状を呈した階状裁荷縁を具有するることを特徴とする請求項１記載の薄型ジョイント部を具有する梁の構造。
【請求項５】
前記ジョイント本体の裁荷縁は傾斜のついた斜角裁荷縁を具有することを特徴とする請求項１記載の薄型ジョイント部を具有する梁の構造。
【請求項６】
前記ジョイント本体の裁荷縁は平面を呈した平面裁荷縁を具有することを特徴とする請求項１記載の薄型ジョイント部を具有する梁の構造。
【請求項７】
前記ジョイント本体の裁荷縁は階状且つ角柱状を呈した階状角柱裁荷縁を具有することを特徴とする請求項１記載の薄型ジョイント部を具有する梁の構造。
【請求項８】
前記ジョイント本体の裁荷縁は斜角柱状を呈した裁荷縁を具有することを特徴とする請求項１記載の薄型ジョイント部を具有する梁の構造。
【請求項９】
前記ジョイント本体の内部にはスパイラルフープを設けることを特徴とする請求項１記載の薄型ジョイント部を具有する梁の構造。
【請求項１０】
前記ジョイント本体の内部にはスチールケージを設けることを特徴とする請求項１記載の薄型ジョイント部を具有する梁の構造。
【考案の詳細な説明】
【技術分野】
【０００１】
本考案は薄型ジョイント部を具有する梁の構造に係り、特に二つのジョイント本体とプレキャスト梁とより構成し、建築現場にて隣り合う二つの主柱上に直接これを設置することで、現場で梁に対する施工の必要がなく迅速に設置できることから工期が短縮される薄型ジョイント部を具有する梁の構造に関わる。
【背景技術】
【０００２】
建築現場における最も基本的な施工手順として、先ず決められた建坪内にプレキャスト主柱を立てておき、次に各柱間にて鉄筋を束ね、コンクリートを注入して梁を成形するといった施工手順がある。こういった柱や梁はいわば建物の要であり、内部はコンクリートや鉄筋といった材質が用いられており、相当の強度を備えていなければならない。鉄筋コンクリート内は、その内部に縦横に交わる主な鉄筋に加え、スパイラル筋、バンド筋等が設けられて複雑な構造を具有するが、これらを精確に垂直或いは水平に設けることで建物全体に安全な構造を提供する。
【特許文献１】特開平７−３０５４４３号公報
【考案の開示】
【考案が解決しようとする課題】
【０００３】
上述のような建築現場における欠点として、一つの建物を建てるには長い時間がかかるために必然的に人件費が多くかかり、また柱に予めジョイントを定位しておいた上で梁を繋げる場合、鉄筋を束ねる時間の短縮に繋がるが、梁とジョイントを繋ぐ位置を定位すべく、やはり現場で梁に対して施工を行なわなけれならない等、未だ改善の余地が見られる。
そこで上述の欠点に鑑み、工期を短縮すると同時に建物に安全な構造を提供するべく、工事現場において隣り合う二つのプレキャスト主柱上に直接設置できる本考案の薄型ジョイント部を具有する梁の構造を提供する。
【課題を解決するための手段】
【０００４】
上記課題を解決するために、本考案は、下記の特徴を有する薄型ジョイント部を具有する梁の構造を提供する。
１．請求項１に記載の薄型ジョイント部を具有する梁の構造は、プレキャスト主柱の裁荷面上に設置される二つのジョイント本体と一つのプレキャスト梁とより構成される薄型ジョイント部を具有する梁の構造において、該ジョイント本体は内部を空洞に加工された薄型構造を呈しており、上部には適当な裁荷縁を具有し、四周の接合面には梁を連結する梁接合凹部を具有し、また該接合面は該梁接合凹部の下側に複数の穿孔を設けることで下層出筋を穿設して該ジョイント本体と結合させ、適当な間隔を開けて設置された二つの該ジョイント本体間は、該接合面と該出筋の設置により迅速に梁と固定されることで一体化することを特徴とする。
２．請求項２に記載の薄型ジョイント部を具有する梁の構造は、請求項１の場合において、前記接合面は梁接合凹部の上側に角孔が設けられ、該上層出筋が穿設する個所を提供することを特徴とする。
３．請求項３に記載の薄型ジョイント部を具有する梁の構造は、請求項１の場合において、前記上層出筋と下層出筋とはフープで緊密に束ねられることを特徴とする。
４．請求項４に記載の薄型ジョイント部を具有する梁の構造は、請求項１の場合において、前記ジョイント本体の最下縁は階状を呈した階状裁荷縁を具有するることを特徴とする。
５．請求項５に記載の薄型ジョイント部を具有する梁の構造は、請求項１の場合において、前記ジョイント本体の裁荷縁は傾斜のついた斜角裁荷縁を具有することを特徴とする。
６．請求項６に記載の薄型ジョイント部を具有する梁の構造は、請求項１の場合において、前記ジョイント本体の裁荷縁は平面を呈した平面裁荷縁を具有することを特徴とする。
７．請求項７に記載の薄型ジョイント部を具有する梁の構造は、請求項１の場合において、前記ジョイント本体の裁荷縁は階状且つ角柱状を呈した階状角柱裁荷縁を具有することを特徴とする。
８．請求項８に記載の薄型ジョイント部を具有する梁の構造は、請求項１の場合において、前記ジョイント本体の裁荷縁は斜角柱状を呈した裁荷縁を具有することを特徴とする。
９．請求項９に記載の薄型ジョイント部を具有する梁の構造は、請求項１の場合において、前記ジョイント本体の内部にはスパイラルフープを設けることを特徴とする。
１０．請求項１０に記載の薄型ジョイント部を具有する梁の構造は、請求項１の場合において、前記ジョイント本体の内部にはスチールケージを設けることを特徴とする。
【考案の効果】
【０００５】
建築現場において、梁が隣り合う二つの主柱上に直接設置され、梁に対する他の施工の必要がないことから、工期や人件費の縮小削減の目的を達成する。
【考案を実施するための最良の形態】
【０００６】
図１に示すように、本考案はプレキャスト主柱９の裁荷面９２上に設置されるジョイント本体３及びプレキャスト梁８より構成し、該ジョイント本体３は内部が空洞を呈した薄型構造を呈しており、その上部３１には適当な裁荷縁３１１を設け、また周囲の接合面３２上には該プレキャスト梁８を連結する梁接合凹部３２１を設ける。該接合面３２は該梁接合凹部３２１の下側に位置し、複数の穿孔３２２を設け、これに相対する数量の下層出筋３２３を穿設して該ジョイント本体３と結合させる。
本考案の実施例中では、該接合面３２は該梁接合凹部３２１の上側に設置するが、その上部３１の裁荷縁３１１の設計によっては角孔３２４設け、適当な数量の上層出筋３２５を穿設並びに結合するものとする（該ジョイント本体３の詳細は図４参照）。また本考案は二つの適当な間隔を開けて配列される該ジョイント本体３の間に該接合面３１及び上下層出筋３２３，３２５を設置することにより、迅速にプレキャスト梁８が接続固定され、本考案のジョイント部を具有する梁が完成する。
こうして該ジョイント本体３の構造を更に堅牢にし、且つコンクリート注入の際も貼合効果を高めると同時に、更にジョイント本体内部にはスパイラルフープやスチールケージを設ける他、ジョイント本体とは工事現場の必要に応じて異なるプレキャスト主柱９や施工設計に合わせ、該ジョイント本体３上部３１を階上裁荷縁３１１や斜角裁荷縁、平面裁荷縁、階状態角柱裁荷縁、斜角柱裁荷縁等とする（詳細は後続の図面参照）。
【０００７】
図２，３に示すように、本考案を建築現場にて実際に応用する裁は、該ジョイント本体３及びプレキャスト梁８により構成される本考案を吊るして建築物の敷地に設けられた二つの隣り合うプレキャスト柱（図参照）上に直接設置し、施工時には現場にて該ジョイント本体３のもう一端のプレキャスト梁８Ａと接合する、即ち現場では全ての梁に対し施工の必要がないことで工期を短縮する。また図３に示すように、該上層出筋３２５と下層出筋３２３とはフープ等によって緊密に固定することで、構造をより強化し堅牢にする。
【０００８】
図４，５に示すように、本考案の第一実施例では、ジョイント本体３は上述のとおり内部が空洞を呈した薄型構造となっているが、上部３１には階状の裁荷縁３１１を設け、四周の接合面３２上には梁を連結する梁接合凹部３２１を設ける。該接合面３２は該梁接合凹部３２１の下側にて設けた複数の穿孔３２２に、これに相対する数の下層出筋３２３を穿設して該ジョイント本体３に結合する。本実施例中では、該接合面３２は該梁接合凹部３２１の上側に、該上部３１の裁荷縁３１１の設計に応じた角孔３２４を設けることで、該上層出筋３２５を穿設して結合するためのものとする。これらの構造により、各種異なる柱や施工法に適用するものとする（該ジョイント本体３の上部３１がフロア面と結合した様子は図５を参照）。
【０００９】
図６，７に示すように、第二実施例におけるジョイント本体４は、上部４１に斜角裁荷縁４１１を設け、四周の接合面４２には梁を連結する梁接合凹部４２１を設け、該接合面４２は該梁接合凹部４２１の下側に複数の穿孔４２２を設け、適当な数量の下層出筋４２３を穿設し該ジョイント本体４に結合させるものとする。本実施例中では該接合面４２は該梁接合凹部４２１の上側に、該上部４１の裁荷縁４１１の設計に応じた角孔４２４を設けて該上層出筋４２５を穿設する個所を提供し、これらの設計により、各種異なる柱や施工方法に適用するものとする（該ジョイント本体４の上部４１がフロア面４２６と結合した様子は図７参照）。
【００１０】
図８，９に示すように、第三実施例におけるジョイント本体５は、その上部５１に平面裁荷縁５１１を具有し、四周の接合面５２上には梁を連結する梁接合凹部５２１を設け、該接合面５２は該梁接合凹部５２１の下側に複数の穿孔５２２を具有し、下層出筋５２３を穿設して該ジョイント本体５に結合する。該ジョイント本体５の構造を更に堅牢にすべく、且つコンクリート注入の際の貼合効果を高めるべく、該ジョイント本体５内部にはスパイラルフープ５２４を設ける。これらの設計により、各種異なる柱や施工方法に適用するものとする（該ジョイント本体５の上部５１がフロア面５２６と結合した様子は図９参照）。
【００１１】
図１０，１１に示すように、第四実施例におけるジョイント本体６は、上部６１に斜角柱裁荷面６１１を設け、四周の接合面６２上には梁を連結する梁接合凹部６２１を設け、該接合面６２は該梁接合凹部６２１の下に複数の穿孔６２２を設け、下層出筋６２３を穿設して該ジョイント本体６に結合する。該ジョイント本体６の構造を更に堅牢にすべく、且つコンクリート注入の際の貼合効果を高めるべく、該ジョイント本体６内部にはスパイラルフープ６２４を設ける。これらの構造により、各種異なる柱や施工法に適応するものとする（該ジョイント本体６の上部６１がフロア面と結合した様子は図１１を参照）。
【００１２】
図１２，１３に示すように、第五実施例におけるジョイント本体７は、上部７１に階状角柱裁荷縁７１１を設け、四周の接合面７２上には梁を連結する梁接合凹部７２１を設ける。また該接合面７２は該梁接合凹部７２１の下側には複数の穿孔７２２を設け、下層出筋７２３を穿設して該ジョイント本体７に結合するためのものとする。該ジョイント本体７の構造を更に堅牢なものとすべく、且つコンクリートを注入する際の貼合効果を高めるべく、該ジョイント本体７内部にはスパイラルフープ７２４を設ける。これらの構造により、各種異なる柱や施工法に適用するものとする（該ジョイント本体７の上部７１がフロア面と結合した様子は図１３参照）。
【図面の簡単な説明】
【００１３】
【図１】本考案の外観立体図である。
【図２】本考案を建築現場に応用した際における俯瞰図である。
【図３】図２の局部拡大図である。
【図４】本考案の第一実施例であり、ジョイント本体の外観立体図である。
【図５】本考案の第一実施例であり、ジョイント本体とプレキャストフロアの立体説明図である。
【図６】本考案の第二実施例であり、ジョイント本体の立体外観図である。
【図７】本考案の第二実施例であり、ジョイント本体とプレキャストフロアの立体説明図である。
【図８】本考案の第三実施例であり、ジョイント本体の立体外観図である。
【図９】本考案の第三実施例であり、ジョイント本体とプレキャストフロアの立体説明図である。
【図１０】本考案の第四実施例であり、ジョイント本体の立体外観図である。
【図１１】本考案の第四実施例であり、ジョイント本体とプレキャストフロアの立体説明図である。
【図１２】本考案の第五実施例であり、ジョイント本体の立体外観図である。
【図１３】本考案の第五実施例であり、ジョイント本体とプレキャストフロアの立体説明図である。
【符号の説明】
【００１４】
３  ジョイント本体
３１  上部
３１１  階状裁荷縁
３２  接合面
３２１  梁接合凹部
３２２  穿孔
３２３  下層出筋
３２４  角孔
３２５  上層出筋
３２６  フロア面
４  ジョイント本体
４１  上部
４１１  斜角裁荷縁
４２  接合面
４２１  梁接合凹部
４２２  穿孔
４２３  下層出筋
４２４  角孔
４２５  上層出筋
４２６  フロア面
５  ジョイント本体
５１  上部
５１１  平面裁荷縁  
５２  接合面
５２１  梁接合凹部
５２２  穿孔
５２３  下層出筋
５２４  スパイラルフープ
５２５  フロア面
６  ジョイント本体
６１  上部
６１１  斜角柱裁荷面
６２１  梁接合凹部
６２２  穿孔
６２３  下層出筋
６２４  スパイラルフープ
６２５  フロア面
７  ジョイント本体
７１  上部
７１１  階状角柱裁荷縁
７２  接合面
７２１  梁接合凹部
７２２  穿孔
７２３  下層出筋
７２４  スパイラルフープ
７２５  フロア面
８  プレキャスト梁
８Ａ  プレキャスト梁
９  プレキャスト主柱
９１  主鉄筋束
９２  裁荷面
【図１】
0003120405.tif 000003
【図２】
0003120405.tif 000004
【図３】
0003120405.tif 000005
【図４】
0003120405.tif 000006
【図５】
0003120405.tif 000007
【図６】
0003120405.tif 000008
【図７】
0003120405.tif 000009
【図８】
0003120405.tif 000010
【図９】
0003120405.tif 000011
【図１０】
0003120405.tif 000012
【図１１】
0003120405.tif 000013
【図１２】
0003120405.tif 000014
【図１３】
0003120405.tif 000015